(57)【要約】【課題】空気を循環させる風路と平行に熱交換板面を形成し、この板面上に冷却水をジグザグ状に流して流下させるための案内部材を備える水冷式除湿用熱交換器において、案内部材の角部角度を９０度より鋭角に形成するなどの工夫をすることなく、熱交換板面上に流した冷却水が案内部材の意図しない部分から多量にこぼれ落ちることを簡単に防止できる水冷式除湿用熱交換器を備えた洗濯乾燥機を得る。【解決手段】水冷式除湿用熱交換器を備え、洗濯兼脱水槽１７内の空気を循環させて除湿し、洗濯兼脱水槽１７内の洗濯物を乾燥させる洗濯乾燥機において、前記水冷式除湿用熱交換器は、空気を循環させる除湿風路６と平行に熱交換板面２０を形成し、この板面２０上に冷却水をジグザグ状に流して流下させるための案内部材１５を備えるものであり、この水冷式除湿用熱交換器を洗濯乾燥機の設置面に対して傾斜させた状態に配設する。【選択図】        図１
2008054948.tif 000002
【特許請求の範囲】
【請求項１】
水冷式除湿用熱交換器を備え、洗濯兼脱水槽内の空気を循環させて除湿し、洗濯兼脱水槽内の洗濯物を乾燥させる洗濯乾燥機において、前記水冷式除湿用熱交換器は、空気を循環させる風路と平行に熱交換板面を形成し、この板面上に冷却水をジグザグ状に流して流下させるための案内部材を備えるものであり、この水冷式除湿用熱交換器を洗濯乾燥機の設置面に対して傾斜させた状態に配設することを特徴とする洗濯乾燥機。
【請求項２】
水冷式除湿用熱交換器を備え、洗濯兼脱水槽内の空気を循環させて除湿し、洗濯兼脱水槽内の洗濯物を乾燥させる洗濯乾燥機において、前記水冷式除湿用熱交換器は、空気を循環させる風路と平行に熱交換板面を形成し、この板面上に冷却水をジグザグ状に流して流下させるための案内部材を備えるものであり、この水冷式除湿用熱交換器の案内部材またはその周辺部に熱交換面積を増加させるための水路を形成したことを特徴とする洗濯乾燥機。
【請求項３】
水冷式除湿用熱交換器を備え、洗濯兼脱水槽内の空気を循環させて除湿し、洗濯兼脱水槽内の洗濯物を乾燥させる洗濯乾燥機において、前記水冷式除湿用熱交換器は、空気を循環させる風路と平行に熱交換板面を形成し、この板面上に冷却水をジグザグ状に流して流下させるための案内部材を備えるものであり、この水冷式除湿用熱交換器の前記熱交換板面と案内部材とを単一の金属部材で形成することを特徴とする洗濯乾燥機。
【請求項４】
前記水冷式除湿用熱交換器を金属板切起しで形成し、切起しにより発生する案内部材周辺の孔は、案内部材の端部において冷却水が案内部材に沿って流れなくなることがないよう孔幅を決定することを特徴とする請求項３記載の洗濯乾燥機。
【発明の詳細な説明】
【技術分野】
【０００１】
本発明は、洗濯乾燥機の特に水冷式除湿用熱交換器に関するものである。
【背景技術】
【０００２】
洗い、脱水および乾燥行程を備える洗濯乾燥機は、乾燥行程で洗濯兼脱水槽内の洗濯物を乾燥させるため、例えば送風機によって洗濯兼脱水槽内から吸い込んだ湿気を含んだ空気を除湿する手段として水冷式除湿用熱交換機と、除湿後の空気を加熱して洗濯兼脱水槽内に吹き込むヒーターなどの加熱手段とを備える。
【０００３】
前記水冷式除湿用熱交換器は、洗濯兼脱水槽内から吸い込んだ湿潤空気を除湿する除湿ダクト内に冷却水を供給し、除湿ダクト内を流れる空気の流勢によって冷却水の水滴を跳ね上げて空気と冷却水の接触による熱交換（冷却除湿）効率を高めるように構成されている。
【０００４】
この水冷式除湿用熱交換器の具体的構成としては、熱交換板面を空気を循環させる風路（除湿ダクト）と平行に形成し、この板面上に冷却水をジグザグ状に流して流下面積を拡大させ熱交換効率をアップさせるための案内部材を設けてある（例えば特許文献１参照）。
【０００５】
この案内部材は、例えば熱交換板面から垂直方向にのびるように突設した複数の突条で形成され、この熱交換板面と案内部材である突条上面が形成する角部に除湿用冷却水を流す。
【特許文献１】特許第３７１０７２５号、第７頁、図１
【発明の開示】
【発明が解決しようとする課題】
【０００６】
前記特許文献１に記載の洗濯乾燥機の水冷式除湿用熱交換器は、熱交換板面が洗濯乾燥機の設置面と垂直に配置されている。
【０００７】
このため、熱交換板面に流した冷却水が熱交換板面と案内部材とにそって流れるとき、案内部材の部分から水が多量にこぼれ落ちないようにする必要があり、角部角度を９０度より鋭角に形成したり、案内部材の形状・材質や熱交換器自体の形状・材質を考慮したり、また、除湿水流量が案内部材から溢れ出ないで流れる程度の流量に設定するなどの工夫が必要であった。
【０００８】
本発明は前記従来例の不都合を解消するものとして、空気を循環させる風路と平行に熱交換板面を形成し、この板面上に冷却水をジグザグ状に流して流下させるための案内部材を備える水冷式除湿用熱交換器において、案内部材の角部角度を９０度より鋭角に形成するなどの工夫をすることなく、熱交換板面上に流した冷却水が案内部材の意図しない部分から多量にこぼれ落ちることを簡単に防止できる水冷式除湿用熱交換器を備えた洗濯乾燥機を提供するものである。
【課題を解決するための手段】
【０００９】
本発明は、水冷式除湿用熱交換器を備え、洗濯兼脱水槽内の空気を循環させて除湿し、洗濯兼脱水槽内の洗濯物を乾燥させる洗濯乾燥機において、前記水冷式除湿用熱交換器は、空気を循環させる風路と平行に熱交換板面を形成し、この板面上に冷却水をジグザグ状に流して流下させるための案内部材を備えるものであり、この水冷式除湿用熱交換器を洗濯乾燥機の設置面に対して傾斜させた状態に配設することを特徴とする。
【発明の効果】
【００１０】
本発明の洗濯乾燥機によれば、水冷式除湿用熱交換器を洗濯乾燥機の設置面に対して傾斜させた状態に配設したから、空気を循環させる風路と平行に配設した熱交換板面も傾斜した状態に配置されることになり、案内部材はこの傾斜した熱交換板面から上向きに突出する。
【００１１】
よって、熱交換板面と案内部材との間に形成される角部角度が９０度以上の鈍角に形成されても、案内部材の部分から冷却水が多量にこぼれ落ちることがなく、除湿機能が低下することがない。
【発明を実施するための最良の形態】
【００１２】
以下、図面について本発明の実施形態を詳細に説明する。図１は本発明の洗濯乾燥機の実施形態を示す縦断側面図で、図１３、図１４について洗濯乾燥機の全体構成から説明する。
【００１３】
図１３は水冷式除湿用熱交換器を備える洗濯乾燥機の側面図、図１４は同上縦断側面図で、外箱２内に、吊り棒７、吊り板８、アクチュエーター９、駆動ネジ１０などから構成される防振機構で、内部に洗濯兼脱水槽１７を配設した水槽３を傾斜角度設定自在かつ揺動自在に配設し、水槽３の下方に洗濯兼脱水槽１７や攪拌翼１８などを回転させるモーター４を配置し、水槽の底部に開口する排水管に排水弁５を設けてある。
【００１４】
図中１６は洗濯兼脱水槽１７の上部周縁に配設したバランサー、１は外箱２の上部開口を覆うトップカバーを示す。
【００１５】
かかる構成に加えて、洗濯兼脱水槽１７内の洗濯物を乾燥させるための乾燥ユニット１１として、水槽３の外側部にこれにそってダクト状の除湿風路６を形成し、この除湿風路６の下部を水槽３の底部に開口するとともに、除湿風路６の上部に給気風路１２を接続し、この給気風路１２内にヒーター１３を配設して、給気風路１２を洗濯兼脱水槽１７の上部に開口する。
【００１６】
除湿風路６内には、上部に送風ファン１４を配設し、風路にそって複数の除湿用冷却水の案内部材１５を突設してある。この案内部材１５は、細長板状のもので、冷却水１９がジグザグ状に流下するよう、除湿風路６の長さ方向に互い違いに配置される。
【００１７】
このようにして防振機構により水槽３が洗濯乾燥機の設置面に対して傾斜状態で外箱２内に配設され、これにより、水槽３の側面にこれにそって付設される除湿風路６などによる水冷式除湿用熱交換器も洗濯乾燥機の設置面に対して傾斜した状態で配設されることになる。
【００１８】
本発明は、第１実施形態として図１にも示すように、このように水槽３や水冷式除湿用熱交換器が洗濯乾燥機（具体的には外箱２）の設置面に対して傾斜状態に配設される洗濯乾燥機であり、かかる洗濯乾燥機において、水冷式除湿用熱交換器の除湿風路６内に、この除湿風路６と平行に熱交換板面２０を配設し、この熱交換板面２０も洗濯乾燥機の設置面に対して傾斜した状態に配置する。
【００１９】
そして、この熱交換板面２０の傾斜した上面側に、冷却水の案内部材１５を複数突設する。この案内部材１５は、例えば細長板状であり、図２に示すように間隔をおいて縦列にジグザグ状に配置されるものが、さらに横列に複数配置され、それぞれの案内部材１５は図３に示すように熱交換板面２０に対して例えば９０度の角部角度で突出する。
【００２０】
これにより、案内部材１５は、熱交換板面２０に対しては９０度の角度で突出しても、熱交換板面２０が傾斜してその傾斜の上面側から案内部材１５は突出するから、案内部材２０は洗濯乾燥機の設置面に対しては上向きに突出し、水平には突出しない。
【００２１】
なお、角部角度は、９０度に限定されるものではなく、案内部材１５が結果として水平に突出しない角度の範囲内であれば、９０度以上の鈍角であってもよい。
【００２２】
次に作用について説明する。乾燥行程では、洗濯兼脱水槽１７内の湿潤した空気を送風ファン１４によって水槽３の底部の開口から除湿風路６内に吸込む。他方、除湿風路６内には上方から冷却水が流下され、熱交換板面２０上にそって流れる。
【００２３】
このとき、冷却水は熱交換板面２０上に突出している案内部材１５の上に落下し、これにそってジグザグ状に流れる。これにより、湿潤空気と冷却水との接触面積が増大し熱交換効率がアップする。
【００２４】
そして、本発明では熱交換板面２０が洗濯乾燥機の設置面に対して傾斜状態に配設され、案内部材１５も洗濯乾燥機の設置面に対して水平よりも上向きに突出しているから、案内部材１５に冷却水が流下したとき、案内部材１５の意図しない部分から冷却水が多量にこぼれることがなく、熱交換効率が低下することがない。
【００２５】
図４〜図８は第２実施形態を示し、案内部材１５またはその周辺部に、意図的に冷却水をこぼして空気と水との熱交換面積を増加させて除湿を効率よく行うための水路２１を形成した。図４はその第１例を示し、細長板状の案内部材１５の中央部前面に切欠きによる縦方向の溝条を水路２１として形成した。これにより、案内部材１５に流下した冷却水は、溝条の部分から下方にこぼれることになる。
【００２６】
図５は、第２例を示し、案内部材１５の上面部を、この案内部材１５の長さ方向に切り込んで溝条を水路２１として形成した。この水路２１としての溝条は、ジグザグ状に斜設された案内部材１５の下方部分の切欠きを少なくして、斜めに配置された案内部材１５の下方部、すなわち溝条の下端側からは多量の冷却水が落下しないようにしておき、溝条の主として上端側から意図的に冷却水がこぼれるようにした。
【００２７】
図６は第３例を示し、案内部材１５の形成部位の直上方位置で、熱交換板面２０に冷却水をこぼすための水路２１となる通水孔を形成した。この通水孔は案内部材１５の長さ方向にそって、この案内部材１５の中央位置に、案内部材１５の約半分程度の長さで形成される。よって、案内部材１５上を流下する冷却水は、この通水孔からこぼれ出る。
【００２８】
図７は第４例を示し、これは前記第３例と基本的には同様の構成であり、通水孔の形成部位を第３例では案内部材１５の直上方位置として案内部材１５に連成させたが、第４例では案内部材１５に連成させず、わずかな間隔を置いて案内部材１５の上方に形成した。
【００２９】
図８は第５例を示し、ジグザグ状に斜設された案内部材１５の下方部分の形状を、その厚さを約半分程度に薄くするとともに、先端を下方斜め方向に折り曲げた。これにより、先細りで下方にさらに傾斜する下方部分が水路２１として、斜めに配置されている案内部材１５の下方先端部に形成され、案内部材１５の上に流下した冷却水は案内部材１５上を流れ、さらに案内部材１５の下部先端からは先細り状態で下向きの水路２１から意図的によけいに水がこぼれ出る。
【００３０】
図９は第３実施形態を示し、水冷式除湿用熱交換器の熱交換板面２０と案内部材１５とを単一の金属部材で形成する。これにより、金属板切起しや鋳造などによる熱交換器の製作が可能となり、製造容易となり、部品コストの低減が図れるだけでなく、流下する冷却水１９は、同一の材質である金属部材で作製された熱交換板面２０と案内部材１５とに接触しこれを伝って流れるから、金属と水の熱交換効率が向上し、除湿風路６全体を効率よく使用できる。
【００３１】
図１２は、熱交換板面２０と案内部材１５とを異なる別の材質で製作した場合で、熱交換板面２０を金属で、案内部材１５を合成樹脂で作製した。この場合は、冷却水は金属製の熱交換板面２０と合成樹脂製の案内部材１５とに接触しながら流下することになり、金属は熱伝導性が良好であるが、合成樹脂は熱伝導性がよくないため、全体として熱交換効率が低下する。
【００３２】
図１０、図１１は第４実施形態を示し、第３実施形態のように水冷式除湿用熱交換器の熱交換板面２０と案内部材１５とを単一の金属部材で形成し、案内部材１５を切起しで形成した場合、図１０に示すように加工上、案内部材１５の周囲の熱交換板面２０に孔２２があく。
【００３３】
その結果、この孔２２の影響で冷却水が案内部材１５に添って流れなくなることがある。そこで、本発明では、孔２２が開いた場合であっても、冷却水が案内部材１５にそって流れるよう、切起しによる案内部材１５の端部において形成される孔２２の端の開口幅Ａを決定した。
【００３４】
これにより、熱交換板面２０からの冷却水が案内部材１５に添って流れ、案内部材１５の端に形成された孔２２からこぼれることを防止でき、熱交換効率の低下を防げる。
【図面の簡単な説明】
【００３５】
【図１】本発明の洗濯乾燥機の第１実施形態を示す縦断側面図である。
【図２】本発明の洗濯乾燥機の第１実施形態を示す要部である水冷式除湿用熱交換器の縦断正面図である。
【図３】本発明の洗濯乾燥機の第１実施形態を示す要部である水冷式除湿用熱交換器の図２のＡ−Ａ線断面図である。
【図４】本発明の洗濯乾燥機の第２実施形態を示す要部である水冷式除湿用熱交換器の第１例の縦断正面図である。
【図５】本発明の洗濯乾燥機の第２実施形態を示す要部である水冷式除湿用熱交換器の第２例の縦断正面図である。
【図６】本発明の洗濯乾燥機の第２実施形態を示す要部である水冷式除湿用熱交換器の第３例の縦断正面図である。
【図７】本発明の洗濯乾燥機の第２実施形態を示す要部である水冷式除湿用熱交換器の第４例の縦断正面図である。
【図８】本発明の洗濯乾燥機の第２実施形態を示す要部である水冷式除湿用熱交換器の第５例の縦断正面図である。
【図９】本発明の洗濯乾燥機の第３実施形態を示す要部である水冷式除湿用熱交換器の縦断側面図である。
【図１０】本発明の洗濯乾燥機の第４実施形態を示す要部である水冷式除湿用熱交換器の縦断正面図である。
【図１１】本発明の洗濯乾燥機の第４実施形態を示す要部である水冷式除湿用熱交換器の要部の案内部材の部分の正面図である
【図１２】従来の水冷式除湿用熱交換器の縦断側面図である。
【図１３】洗濯乾燥機の側面図である。
【図１４】洗濯乾燥機の縦断側面図である。
【符号の説明】
【００３６】
１  トップカバー                ２  外箱
３  水槽                        ４  モーター
５  排水弁                      ６  除湿風路
７  吊り棒                      ８  吊り板
９  アクチュエーター            １０  駆動ネジ
１１  乾燥ユニット              １２  給気風路
１３  ヒーター                  １４  送風ファン
１５  案内部材                  １６  バランサー
１７  洗濯兼脱水槽              １８  攪拌翼
１９  冷却水                    ２０  熱交換板面
２１  水路                      ２２  孔
【図１】
2008054948.tif 000003
【図２】
2008054948.tif 000004
【図３】
2008054948.tif 000005
【図４】
2008054948.tif 000006
【図５】
2008054948.tif 000007
【図６】
2008054948.tif 000008
【図７】
2008054948.tif 000009
【図８】
2008054948.tif 000010
【図９】
2008054948.tif 000011
【図１０】
2008054948.tif 000012
【図１１】
2008054948.tif 000013
【図１２】
2008054948.tif 000014
【図１３】
2008054948.tif 000015
【図１４】
2008054948.tif 000016